(57)【特許請求の範囲】
【請求項１】
建造物の躯体の外面に支持された取付受部材に複数個の格子パネルを係止させる格子パネル取付装置において、取付受部材（２）が複数個の離間した係止部（１０）を有し、係止部（１０）はその側縁が案内面部（１２）と、該案内面部（１２）と角部（１５）を介して連続する傾斜面部（１３）と、該傾斜面部（１３）につづく凹部（１４）とを有するとともに、前記角部（１５）とその下縁が交差するリブ（１１）又は折れ縁（１１ａ）を有しており、格子パネル（１）はその基部（２１）の内壁にビス孔部（２２）を有するとともにその係止縁（１７）が折れ部（１８）と係止面部（１９）を備える脚縁（２０）とを有しており、格子パネル（１）の係止部（１０）への係止は、前記ビス孔部（２２）を係止部（１０）に対向させて、その折れ部（１８）が係止部（１０）の角部（１５）に係合しかつ係止面部（１９）が傾斜面部（１３）に面接触し、脚縁（２０）が凹部（１４）に係止してなされる格子パネル取付装置。
【請求項２】
脚縁（２０）が第一の係止面部（１９）と第二の係止面部（１９ａ）を有し、凹部（１４）が第一の傾斜面部（１３）と第二の傾斜面部（１３ａ）を有し、第一の係止面部（１９）に第一の傾斜面部（１３）を、第二の係止面部（１９ａ）に第二の傾斜面部（１３ａ）を係止する請求項１に記載の格子パネル取付装置。
【請求項３】
係止部（１０）が取付受部材（２）の長手方向に対して傾斜している請求項１又は２に記載の格子パネル取付装置。
【請求項４】
係止縁（１７）が側外方に延在する化粧縁を有する請求項１乃至３のいずれかに記載の格子パネル取付装置。
【発明の詳細な説明】
【０００１】
【発明の属する技術分野】
本発明は、建造物の躯体の外面に配される格子パネル取付装置に関する。
【０００２】
【従来の技術】
建造物の壁面、天井、柱、或いは目隠し構造物（例えばクーリングタワー）等の外面の仕上げ部材として、複数個の離間した格子パネルを該外面に張り付ける。
この構造の代表例が実用新案登録第２５７８２９８号公報に開示される。この例は、建造物の躯体の外面に係止具（支持材）を介してストリンガー（取付受部材）を固定し、ストリンガーの長手方向に複数個離間して設けた係止部の両側縁に格子パネルの端縁を弾力的に係止させる構造を有す。
【０００３】
ストリンガーの係止部の両側縁は断面コの字状の開口係合面を有し、格子パネルの一方の端縁の内向き係止縁を一方の係合面に引っ掛け、この状態で他方の係合面に格子パネルの他方の内向き係止縁を押し込み、格子パネルをストリンガーに固定させる。
この格子パネル取付作業を順次行い、格子パネルを並設していく。
【０００４】
【発明が解決しようとする課題】
格子パネルをストリンガーに取り付けるには、一枚一枚の格子パネルを手作業でストリンガーの係止部に取り付けていく。
このため、取付作業中に格子パネルの係止縁がストリンガーの係止部の係合面に不正確に係合すると、格子パネルの一部が浮き上がり、又、外れるという状況が生じる。
【０００５】
それ故に、簡単な係合関係の格子パネル取付作業により、格子パネルのストリンガー（取付受部材）への確実な係止にて相対位置関係の維持を可能とし、格子パネルのストリンガーからの浮き上がりや外れを無くすことを、本発明は解決すべき課題とする。
【０００６】
【課題を解決するための手段】
本発明は、前述した課題を解決するために、基本的には、建造物の躯体の外面に支持された取付受部材に複数個の格子パネルを係止させる格子パネル取付装置において、取付受部材（２）が複数個の離間した係止部（１０）を有し、係止部（１０）はその側縁が案内面部（１２）と、該案内面部（１２）と角部（１５）を介して連続する傾斜面部（１３）と、該傾斜面部（１３）につづく凹部（１４）とを有するとともに、前記角部（１５）とその下縁が交差するリブ（１１）又は折れ縁（１１ａ）を有しており、格子パネル（１）はその基部（２１）の内壁にビス孔部（２２）を有するとともにその係止縁（１７）が折れ部（１８）と係止面部（１９）を備える脚縁（２０）とを有しており、格子パネル（１）の係止部（１０）への係止は、前記ビス孔部（２２）を係止部（１０）に対向させて、その折れ部（１８）が係止部（１０）の角部（１５）に係合しかつ係止面部（１９）が傾斜面部（１３）に面接触し、脚縁（２０）が凹部（１４）に係止してなされることを特徴とする。
【０００７】
【発明の実施の形態】
建造物の壁面、天井、屋根、柱、外階段周り、或いは目隠し構造物（例えばクーリングタワー）等の外面の仕上げ部材として、取付受部材の外面に複数個の格子パネルを並列状に面張りするが、図１と図２には、格子パネル１と取付受部材２との関係を示す。取付受部材（例えばストリンガー）２は、長尺で断面が略Ｈ字状、Ｕ字状、ひ字状又はＬ字状等で構成される。図示例は、断面略Ｈ字状で連結壁部３をボルト４とナット５を用い前記した建造物の下地材又は躯体６の外面に固定させる。これにより、取付受部材２と躯体６とを固定関係とさせる。
取付受部材２は、対向側壁部７，７の上縁に対向する係支縁８，８を有す。係支縁８，８の長手方向には離間する複数の開口切欠き部９を形成し、切欠き部９間に係止部１０を形成する。
係支縁８，８の長手方向の適所にリブ１１を内外向き好ましくは図示のように外向きに設ける。
リブ１１に代えて、この部分を後述する凹部１４部分の切起こし片の面部若しくは外方又は内方に浅い段付きした折れ縁１１ａとしてもよい。リブ１１や折れ縁１１ａ又は切起こし片の面部は係止部１０自体又は角部や傾斜面部１３の強度を高める。
【０００８】
図３を参照して、係止部１０の側縁の構成を説明する。係止部１０の側縁は、円弧状の案内面部１２と、これにつづく内向きの第一の傾斜面部１３と、下折り返し外向きの第二の傾斜面部１３ａとからなる外向きに開口する凹部１４とからなり、好ましくは左右対称形状とする。
案内面部１２と第一の傾斜面部１３との交点は鈍角又は鋭角の角部１５となっており、この角部１５にリブ１１の下縁が交わる。１６は切欠き部９の底縁を示す。
【０００９】
格子パネル１の端縁の係止縁１７は、その適所に内向きの折れ部１８を有しかつ傾斜面部１３に沿う係止面部１９を備える脚縁２０を有す。なお、第一の傾斜面部１３と係合する第一の係止面部１９と、さらに下折り返し外向く第二の傾斜面部１３ａと係合する第二の係止面部１９ａがくの字状に屈折形成した脚縁２０につづき、又は、図４の（ａ）に示す垂直縁状に屈折形成した脚縁２０が一体につづく。脚縁２０の先端は底縁１６と対向する。
格子パネル１基部２１の内面の係止縁１７側に、小口蓋を取り付けるビス孔部２２を設ける。ビス孔部２２は係止部１０と対向し、格子パネル１が係合後の位置決め又は係合後の係止部１０との外れ防止効果をえる。
【００１０】
図１に示す例は、取付受部材２の係止部１０が長手方向に同じ高さとなっているが、この例についての格子パネル１の取付を説明する。
格子パネル１を斜めにし、一方の係止縁１７を切欠き部９に入れ脚縁２０先端を底縁１６に当接させながら、脚縁２０を凹部１４方向へ移動させ、角部１５に折れ部１８を着座させかつ傾斜面部１３に係止面部１９を当接させる。この状態では、他方の係止縁１７が係止部１０の斜め上方に位置するが、一方の係止縁１７を図３の状態としたまま他方の係止縁１７の脚縁２０を案内面部１２に沿って押し下げ、角部１５と折れ部１８とを当接させかつ、第一又は第二の傾斜面部１３，１３ａに第一又は第二の係止面部１９，１９ａを凹部１４の上下で面接触させる。なお、この凹部１４の奥部は格子パネル１の脚縁２０と、又は、脚縁２０の先端と底縁１６との間は若干の隙間を備え、凹部１４の奥部側の方向に係止縁１７を移動可能とし、これにより微調整が可能となり角部１５に折れ部１８を確実に案内して着座させている。
従って、屈折状の脚縁２０は凹部１４にも相対的位置関係を正しく保って係止される。
【００１１】
前述した如く、一方の係止縁１７を切欠き部９に挿入し、他方の係止縁１７を押し下げる作業で格子パネル１を取付受部材２に容易に取り付け得る。
このとき、図４の（ａ）又は（ｂ）の例では、ビス孔部２２は係止部１０に対向し、角部１５が折れ部１８と交わり、第一又は第二の傾斜面部１３，１３ａが第一又は第二の係止面部１９，１９ａに面接触し、さらに、屈折状の脚縁２０が凹部１４に係止するという四点の確実な支持となる。これにより定位置決め状態の相対位置関係の維持された強固な係合が確保でき、係合後は格子パネル１への上下方向或いは左右方向から風力等の外力が作用しても相対的係合関係が維持され、格子パネル１の取付受部材２に対する浮き上がりや外れは防止できる。
【００１２】
図４の（ａ）に示す例は、凹部１４の形状を左方に開口した平らな有底溝としたもので、第一の傾斜面部１３が第一の係止面部１９に面接触し、かつ垂直縁を、凹部１４に当接させていない例である。
図４の（ｂ）に示す変形例は、脚縁２０を凹部１４と関連する傾斜面部１３，１３ａが脚縁２０と関連する係止面部１９，１９ａと面接触可能となっている。凹部１４の奥底は係止縁１７の係止部への取付時一部空間となっている。
【００１３】
図５に示す例は、切欠き部９の形状を変化させかつリブに代え破線で示した折れ縁１１ａを備える係止部１０を角度を付けて配した例で、格子パネル１の係止縁１７、取付受部材２の側縁の形状の他は図１から図４に示す例と同符号を付記したものとほぼ同じであり、その取付方法も前述した如くである。
図６に示す例は、格子パネルを山形に配するように、係止部１０を山形に形成したもので、格子パネル１の係止縁１７のための取付構造は図１から図４に示す例とほぼ同じである。
【００１４】
図７に示す例は、隣り合う格子パネル１間の隙間を化粧縁２３で通気可能に覆うものである。隣り合う格子パネル１の係止縁１７から側外方へと水平な化粧縁２３をその高さを変え延在させたものである。
図７の例は、化粧縁２３を水平に延在させたが、図８の例の如く、格子パネル
１の基部２１の上面から同円弧で側外方に化粧縁２３を延在させ、その先端部を対向させてもよい。
図９に示すように、一方の化粧縁２３を基部２１の上面から同円弧で側外方に延在させ、他方の化粧縁２３を係止縁１７の下部から側外方へ水平に延在させてもよい。
図１０に示す例は、図６に示す例に化粧縁２３を配したもので格子パネル１の基部２１の外面と同円弧をもって側外方に延在し、その先端が対向する。
隣り合う格子パネル１の化粧縁２３の組合せは、図示例以外の変形例でもよい。
【００１５】
なお、図５から図１０に示す例は、格子パネル１又は取付受部材２を一部変形させ、この取付け全体の面貼りの装飾を変え、多様な用途に対応可能としたものである。
また、前記したリブ１１に代えて、例えば、このリブを傾斜面部１３に交わるよう構成してもよく、又、外方若しくは内方に浅い段付きとした折れ縁１１ａを傾斜面部１３に構成してもよい。折れ縁１１ａ又は切起こし片の面部は、係止部１０自体又は角部や傾斜面部１３の強度を高める。
また、格子パネル１の基部２１は、基部２１自体に凹凸面壁状又は基部の上面に多数のリブ面を形成した化粧面を構成してもよい。
なお、図７から図１０にも、図１から図４に示す例と同じ構成には同符号を付記した。
【図面の簡単な説明】
【図１】  格子パネルのための取付受部材を示す断面図である。
【図２】  格子パネルの取付の第１実施例を示す正面図である。
【図３】  格子パネルと係止部の側縁との固定関係を示す部分拡大図である。
【図４】  （ａ）は図３に示す例の変形例を示す部分拡大図であり、（ｂ）は（ａ）の変形例を示す部分拡大図である。
【図５】  格子パネルの取付の第２実施例を示す正面図である。
【図６】  格子パネルの取付の第３実施例を示す正面図である。
【図７】  格子パネルに化粧縁を設けた第４実施例を示す正面図である。
【図８】  格子パネルに化粧縁を設けた第５実施例を示す正面図である。
【図９】  格子パネルに化粧縁を設けた第６実施例を示す正面図である。
【図１０】  格子パネルに化粧縁を設けた第７実施例を示す正面図である。
【符号の説明】
１    格子パネル
２    取付受部材
８    係支縁
９    切欠き部
１０    係止部
１１    リブ
１２    案内面部
１３    傾斜面部
１４    凹部
１５    角部
１７    係止縁
１８    折れ部
１９    係止面部
２０    脚縁
２１    基部
２２    ビス孔部
２３    化粧縁
【図１】
0003887573.tif 000002
【図２】
0003887573.tif 000003
【図３】
0003887573.tif 000004
【図４】
0003887573.tif 000005
【図５】
0003887573.tif 000006
【図６】
0003887573.tif 000007
【図７】
0003887573.tif 000008
【図８】
0003887573.tif 000009
【図９】
0003887573.tif 000010
【図１０】
0003887573.tif 000011